(57)【要約】      （修正有）【課題】砂ざらし、雨ざらしになっているベランダのスリッパをボックスの内に入れてふせごうとするベランダのスリッパボックスの提供。【解決手段】  ベランダスリッパ台１に、スリッパボックスフタ６、フチにスポンジ４、回し取っ手７、目じるし８、固定具２、ストッパー３、しめ具４、のり付ゴム板１１、ゴム板足１２を設け、モーター１３と歯車１４で電動スライド式にして、Ａ位置で収納、Ｂ位置でスリッパ５を履くようにできる。【選択図】図１
2006150030.tif 000002
【特許請求の範囲】
【請求項１】
イ）ベランダスリッパ台（１）にスリッパボックスフタ（６）を設け、スリッパ（５）を入れる。
ロ）ベランダスリッパ台（１）のふちの砂ぼこり防止部（９）に、スポンジ（４）を設ける。
ハ）スリッパボックスフタ（６）に直角に回し取っ手（７）、スリッパ目じるし（８）を設ける。
ニ）ベランダスリッパ台（１）に固定具（２）、ストッパー（３）を設け、スリッパボックスフタ（６）にしめ具（１３）を設け、しめじるし（１０）の方向に回してしめるよう設ける。
ホ）ベランダスリッパ台（１）上部にのり付ゴム柄（１１）を設け、ゴム板足（１２）も設ける。
以上の如く構成されたベランダスリッパボックス。
【請求項２】
イ）Ａ位置は収納時で、Ｂ位置はスリッパ（５）をはくためにベランダにスリッパボックスフタ（６）から電動でモーター歯車（１４）、モーター（１３）、でコンセント（オス）（７）スイッチ（８）でおこなうよう設ける。
ロ）スリッパボックスフタ（６）の中にスリッパふみ台（１）をスリッパ（５）をのり付ゴム板（１１）にのせてそろえてぬぐうよう設ける。
ハ）スイッチを入れモーター歯車（１４）をモーター（１３）で直線歯車（１５）で円形歯車（１５’）を設け、変圧器（１６）で電流をおとしモーター（１３）を回して、スイッチ（８）で出し入れするよう設ける。
ニ）そして、スリッパボックスフタ（６）の中にスリッパふみ台（１）が入れば、そろえモーター（２１）に付ているそろえ歯車（２０）で１８０°回転させておき、だすとスムーズにはけるようにスリッパ（５）をセットしてくれるよう設ける。
ホ）円形歯車（１５’）は直線歯車（１５）、と円形歯車（１５’）と二重にするよう設ける。
ヘ）直線歯車（１５）を固定するために直線歯車パイプウケ（１８）に直線パイプ（１９）を設ける。
以上の如く構成された請求項１のベランダスリッパボックス。
【請求項３】
イ）請求項２の電動式のスリッパボックスフタ（６）がモーター（１３’）、モーター歯車（１４’）で自動にあがって直角になるように設ける。
ロ）スリッパ（５）をそろえてぬいであがり、１８０°モーター（１３）で回転させていつでもはけるようにしておく。
ハ）スリッパボックス（６’）に補強棒ストッパー（２２）を設ける。
ニ）請求項３は請求項２の電動式のスリッパボックスフタ（６）が直角にひらくことがちがうところで構造は同じです。
以上の如く構成された請求項１のベランダスリッパボックス。
【発明の詳細な説明】
【発明の詳細な説明】
【産業上の利用分野】
【０００１】この発明は、ベランダにぬぎすてで砂ざらし、雨ざらしのスリッパをなくし収納するためのボックスに関するものである。
【背景技術】
【０００２】従来のベランダのスリッパはぬぎすてか、ひざをついて室内の中に入れるかしていましたが、ぬぎすての場合は砂ざらし、雨ざらしでした。又室内に入れる場合は、そのつどかがんでひざをついて室内に取り入れていました。
【発明が解決しようとする課題】
【０００３】したがって、今までに、ベランダのスリッパを砂ぼこり、雨ざらしからまもるためのボックス等はなかったです。
【課題を解決するための手段】
【０００４】いま、その構成を説明すると、
イ）ベランダスリッパ台（１）に、中が見えるプラスチック板のスリッパボックスフタ（６）を設けスリッパ（５）を入れる。
ロ）ベランダスリップ台（１）の外側のフチの砂ぼこり防止部（９）にスポンジ（４）をまきつける。
ハ）スリッパボックスフタ（６）にベランダスリッパ台（１）を回すための回し取っ手（７）、スリッパ目じるし（８）を設ける。
ニ）ベランダスリッパ台（１）側に固定具（２）、ストッパー（３）を設け、スリッパボックスフタ（６）にしめ具（１３）を設け、しめじるし（１０）の方向に回してしめる。
ホ）ベランダスリッパ台（１）の上部にすべり止めにのり付ゴム板（１７）、ベランダスリッパ台（１）の下部にゴム板足（１２）を設ける。
（電動式）（スライド式）
イ）Ａ位置は収納時、Ｂ位置ははくとき時でモーターと各種の歯車で使用する。
ロ）スイッチをカベ外側に取り付けて入れたりきったりして出入する。
ハ）円形歯車（１５’）は、直線歯車（１５）と円形歯車（１５’）と二重構造にするよう設ける。
（電動式）（フタあけ式）
イ）電動式でベランダボックスフタ（６）を直角にモーター（１３’）、４５°歯車（１４’）であけて使用する。
【作用】
【０００５】次に本発明の作用を述べると、ベランダでの作業が終って、室内側にむけてベランダスリッパ台（１）にスリッパ（５）をそろえてぬいだら、スリッパボックスフタ（６）をかぶせてすこし回し取っ手（７）を「の」の字に回して、固定具（２）、ストッパー（３）にしめ具（１３）で固定して、回し取っ手（７）をすこし上げ、１８０°回転させておき室内に入り、そしてベランダに出る時は、台を回し取っ手（７）をすこし回して、しめ具（４）を固定具（２）からはずしてよこにおいて、スリッパ（５）をはく。又は、電動によりスライド式、フタあけ式と設ける。
【実施例】
【０００６】なお、スリッパボックスフタ（６）についているスリッパ目じるし（８）を前側として１つにすれば、スリッパボックスフタ（６）を、とうめいプラスチック板でなくてもよいと思います。また、固定具（２）にテーパーをつければ、スリッパボックスフタ（６）のしめ具（４）がスムーズにはいりしまると思ますし、のり付ゴム板（１１）はのりつきとする。
【発明の効果】
【０００７】だから、砂ぼこり、雨などがふせげるので、スリッパもよごれず、くつ下もよごれないと思います。又、電動式のスライド式、フタあけ式はスイッチ１コで使用するのでかがんだりせずにスリッパがそろえます。
【図面の簡単な説明】
【図１】本発明の立面おさまり図
【図２】本発明の上面図
【図３】本発明の図中（２）（４）（９）（３）の拡大図
【図４】本発明の電動式上面図
【図５】本発明の電動式正面図
【図６】自動フタあけ式上面図
【図７】自動フタあけ式側面図
【符号の説明】
１はスリッパふみ台
２は固定具
３はストッパー
４はスポンジ
５はスリッパ
６はスリッパボックスフタ
７は回し取っ手
８はスリッパ目じるし
９は砂ぼこり、雨防止部
１０はしめじるし
１１はのり付ゴム板
１２はゴム板足
１３はしめ具
〔電動式〕
１はスリッパふみ台
２はふみ台固定台
３は中心固定具
４はスポンジ
５はスリッパ
６はスリッパボックスフタ  ６’は請求項３の直角スリッパボックスフタ
７はコンセント（オス）
８はスイッチ
９はコンセント（メス）
１０は移動矢印
１１はのり付ゴム板
１２はゴム板足
１３はモーター            １３’はフタ（６）ひらきモーター
１４はモーター歯車        １４’はフタ（６）ひらき４５°歯車
１５は直線歯車            １５’は円形歯車
１６は変圧器
１７は電線
１８は直線歯車パイプウケ
１９は直線パイプ
２０はそろえ歯車
２１はそろえモーター
２２は補強棒ストッパー
２３はフタおこし歯車
【図１】
2006150030.tif 000003
【図２】
2006150030.tif 000004
【図３】
2006150030.tif 000005
【図４】
2006150030.tif 000006
【図５】
2006150030.tif 000007
【図６】
2006150030.tif 000008
【図７】
2006150030.tif 000009